(57)【要約】【課題】仮設足場の足場板に添えるように配置される幅木を安定的かつ容易に固定することができる足場用幅木クリップを提供すること。【解決手段】仮設足場１の足場板３を支持する建枠２の足場支柱５に幅木１２を固定するための金属線材からなる足場用幅木クリップ１１であって、足場支柱５への差込み開口部１３ａを有し、該差込み開口部１３ａを通して足場支柱５に対し抜き差し可能に嵌着される環状部１３と、該環状部１３における差込み開口部１３ａの両側に一体的に設けられ、足場支柱５との間で幅木１２を挟み付けるように保持する一対の幅木保持部１５とを備え、該幅木保持部１５の幅木１２を保持する側の反対側に膨出部１８を形成してなるものとする。【選択図】図３
2019105106.tif 000002
【特許請求の範囲】
【請求項１】
仮設足場の足場板を支持する建枠の足場支柱に幅木を固定するための金属線材からなる足場用幅木クリップであって、足場の縦方向材への差込み開口部を有し、該差込み開口部を通して足場の縦方向材に対し抜き差し可能に嵌着される環状部と、該環状部における差込み開口部の両側に一体的に設けられ、足場の縦方向材との間で幅木を挟み付けるように保持する一対の幅木保持部とを備え、該幅木保持部の幅木を保持する側の反対側に膨出部を形成してなることを特徴とする足場用幅木クリップ。
【請求項２】
仮設足場の足場板を支持する建枠の横架材に幅木を固定するための金属線材からなる足場用幅木クリップであって、横架材を補強するための縦方向材への差込み開口部を有し、該差込み開口部を通して前記縦方向材に対し抜き差し可能に嵌着される環状部と、該環状部における差込み開口部の両側に横架材を抱持する一対の抱持部を介して一体的に設けられ、幅木を両側から挟み付けるように保持する一対の幅木保持部とを備えたことを特徴とする足場用幅木クリップ。
【発明の詳細な説明】
【技術分野】
【０００１】
本発明は、仮設足場において用いられる幅木を固定するための足場用幅木クリップに関するものである。
【背景技術】
【０００２】
例えば、建設工事現場や土木工事現場等において、鋼製の仮設足場が広く利用されている。
この種の仮設足場は、複数の金属製パイプ材により作製される建枠を施工現場に搬入して、施工現場で横方向や鉛直方向に複数個配列し、必要な高さ位置に足場板を架設して構築される。
【０００３】
近年、足場板から作業者が転落したり工具類が落下したりするなどの事故を防止するために、足場板の外側、具体的には通路の両側もしくは反建物側に幅木を配置することが法令で義務付けられている。
【０００４】
従来、足場板の側端部に長手方向に沿って取り付けられる仮設足場用幅木が例えば特許文献１にて提案されている。
【０００５】
この特許文献１に係る仮設足場用幅木は、ねじ軸の操作によって上下動可能に配設されるフック部材を備え、フック部材の下辺部を足場板（布板）の側端部に係止させ、ねじ軸を締め付けることで下辺部を上昇させて、下辺部と当該幅木の下縁部との間で足場板の縁部を挟持することで足場板の側端部に固定されるようになっている。
【０００６】
ところで、上記の仮設足場用幅木は、専用品で製品コストが高いため、広く一般的に用いられておらず、汎用の幅木を建枠の足場支柱等に当接させた状態で両者間に番線（針金）を巻き回して幅木を固定することがしばしば行われている。
【０００７】
しかしながら、番線を用いて幅木を固定するという方法では、幅木の取付時は勿論、解体時にも手間を要し、その上、番線は一度のみの使用となるので、一度使用した番線が廃棄物となってしまうという問題がある。
【０００８】
このような問題を解決し得る足場用幅木クリップが例えば特許文献２にて提案されている。
【０００９】
この特許文献２に係る足場用幅木クリップは、足場支柱よりも広い幅の間隔をあけて前後方向に延びる左右一対の基部を備え、各基部の前端部に下方に延びて幅木を係止する幅木係止部を弾性変形可能に折曲形成し、各基部の後端部に下方に延びる中継部を弾性変形可能に折曲形成し、両中継部の下端部間を支柱係止部で連結してなるものである。
【００１０】
この足場用幅木クリップにおいては、支柱係止部を足場支柱に当接させた状態で支柱係止部を支点としてクリップ全体を前方に向けて回転させるだけで足場支柱に幅木を装着することができるので、簡単な操作で足場支柱に幅木を装着することができ、また繰り返し使用することができる。
【先行技術文献】
【特許文献】
【００１１】
【特許文献１】特開２００７−１２００６５号公報
【特許文献２】特開２０１１−３８２８１号公報
【発明の概要】
【発明が解決しようとする課題】
【００１２】
ところで、上記従来の足場用幅木クリップにおいて、左右一対の基部は足場支柱よりも広い幅の間隔をあけて配設され、足場支柱に対し足場用幅木クリップが遊嵌されている。
このため、足場用幅木クリップに人や物が軽く当たっただけで、足場支柱から足場用幅木クリップが外れる恐れがあり、足場支柱に幅木を安定的に固定することができないという問題点がある。
【００１３】
このような事情から、幅木を安定的かつ容易に固定することができる足場用幅木クリップが要望されている。
なお、仮設足場の足場板に添えるように配置される幅木としては、建枠の足場支柱側に配置される幅木と、建枠の横架材側に配置される幅木とがあり、足場支柱側の幅木を安定的かつ容易に固定することができる足場用幅木クリップと、横架材側の幅木を安定的かつ容易に固定することができる足場用幅木クリップとの両方が要望されている。
【００１４】
本発明は、上記従来の足場用幅木クリップの有する問題点に鑑み、仮設足場の足場板に添えるように配置される幅木を安定的かつ容易に固定することができる足場用幅木クリップを提供することを目的とする。
【課題を解決するための手段】
【００１５】
上記目的を達成するため、第１発明の足場用幅木クリップは、仮設足場の足場板を支持する建枠の足場支柱に幅木を固定するための金属線材からなる足場用幅木クリップであって、足場の縦方向材への差込み開口部を有し、該差込み開口部を通して足場の縦方向材に対し抜き差し可能に嵌着される環状部と、該環状部における差込み開口部の両側に一体的に設けられ、足場の縦方向材との間で幅木を挟み付けるように保持する一対の幅木保持部とを備え、該幅木保持部の幅木を保持する側の反対側に膨出部を形成してなることを特徴とする。
【００１６】
次に、上記目的を達成するため、第２発明の足場用幅木クリップは、仮設足場の足場板を支持する建枠の横架材に幅木を固定するための金属線材からなる足場用幅木クリップであって、横架材を補強するための縦方向材への差込み開口部を有し、該差込み開口部を通して前記縦方向材に対し抜き差し可能に嵌着される環状部と、該環状部における差込み開口部の両側に横架材を抱持する一対の抱持部を介して一体的に設けられ、幅木を両側から挟み付けるように保持する一対の幅木保持部とを備えたことを特徴とする。
【発明の効果】
【００１７】
第１発明の足場用幅木クリップによれば、環状部における差込み開口部を通して足場の縦方向材に対し抜き差し可能に環状部が嵌着され、環状部における差込み開口部の両側に一体的に設けられる一対の幅木保持部によって幅木が足場の縦方向材との間で挟み付けられるように保持されるので、幅木を安定的かつ容易に固定することができる。
さらに、幅木保持部に形成された膨出部を摘まんで差込み開口部を広げる操作によって差込み開口部を容易に広げることができるので、足場の縦方向材から足場用幅木クリップを容易に取り外すことができるという利点がある。
【００１８】
第２発明の足場用幅木クリップによれば、横架材を補強するための縦方向材に対し差込み開口部を通して抜き差し可能に環状部が嵌着され、該環状部によって一対の抱持部の横架材回りの回転が阻止され、環状部における差込み開口部の両側に一対の抱持部を介して一体的に設けられる一対の幅木保持部によって幅木が両側から挟み付けられるように保持されるので、幅木を安定的かつ容易に固定することができる。
【図面の簡単な説明】
【００１９】
【図１】本発明の第１の実施形態に係る足場用幅木クリップ及び第２の実施形態に係る足場用幅木クリップが使用される仮設足場の全体斜視図である。
【図２】本発明の第１の実施形態に係る足場用幅木クリップの全体斜視図である。
【図３】第１の実施形態の足場用幅木クリップを用いて足場支柱に幅木を固定した状態を示す斜視図である。
【図４】第１の実施形態の足場用幅木クリップが板厚の異なる複数種類の幅木に対応して使用される状態を示し、（ａ）は比較的薄い板厚の幅木を保持した状態図、（ｂ）は比較的厚い板厚の幅木を保持した状態図である。
【図５】本発明の第２の実施形態に係る足場用幅木クリップの全体斜視図である。
【図６】第２の実施形態の足場用幅木クリップを用いて横架材に幅木を固定した状態を示す斜視図である。
【図７】第２の実施形態の足場用幅木クリップにおける一対の抱持部が開いた状態を示す正面図である。
【図８】第２の実施形態の足場用幅木クリップが板厚の異なる複数種類の幅木に対応して使用される状態を示し、（ａ）は比較的薄い板厚の幅木を保持した状態図、（ｂ）は比較的厚い板厚の幅木を保持した状態図である。
【発明を実施するための形態】
【００２０】
次に、本発明の足場用幅木クリップの実施の形態を、図面に基づいて説明する。
【００２１】
〔第１の実施形態〕
図１〜図４に、本発明の第１の実施形態に係る足場用幅木クリップを示す。
【００２２】
＜足場支柱側で使用される足場用幅木クリップの概略説明＞
図１に示されるように、例えば建設工事現場や土木工事現場等において設置される鋼製の仮設足場１は、所要の建枠２を施工現場に搬入し、施工現場で建枠２を横方向や鉛直方向に適宜に配列して組み立て、組み立てられた所要の建枠２の必要な高さ位置に足場板３を架設するとともに、隣り合う建枠２同士を筋交４で相互に連結して構築される。
【００２３】
建枠２は、複数の金属製丸パイプ材を鳥居形に接合してなるのであり、所定間隔をあけて配設される２本の足場支柱５を備え、これら足場支柱５の上部同士を繋ぐように横架材６を架設し、横架材６を補強するための補強材７を足場支柱５と横架材６との間に配設して構成されている。
ここで、足場支柱５の上部及び下部には、それぞれ図示されない脚注ジョイントを組み込むことができるようになっており、建枠２を鉛直方向に組み立てる際には、上下の足場支柱５が脚注ジョイントを介して連結される。
また、補強材７は、横架材６から下方に垂下される縦方向材８を有し、この縦方向材８の下部側に一体的に連設される湾曲材９を介して足場支柱５の下部寄りに繋がるような形状に形成されている。
【００２４】
第１の実施形態に係る足場用幅木クリップ１１は、建枠２の足場支柱５に一側の板面を当接させた状態の幅木１２を固定するためのものであって、金属線材、より具体的には例えば断面円形の単一のばね鋼線材（ピアノ線材、硬鋼線材、ステンレス鋼線材等で、線径３〜６ｍｍ程度）を用いて所定の線材曲げ加工によって作製されている。
このように、単一のばね鋼線材によって形成するようにすれば、細かな部品等が存在しないため、作業中でも部品等の落下の恐れがないという利点がある。
【００２５】
図２及び図３に示されるように、足場用幅木クリップ１１は、仮設足場１（図１参照）において縦方向に延びる縦方向材である足場支柱５への差込み開口部１３ａを有する環状部１３を備えている。
【００２６】
＜環状部の説明＞
環状部１３は、足場支柱５の直径に相当する寸法よりもやや小さい寸法の開口幅に設定された差込み開口部１３ａを通して足場支柱５に対し抜き差し可能に嵌着できるように差込み開口部１３ａに対応する部分が欠けた略円環状に形成されている。
差込み開口部１３ａを通して足場支柱５に対し環状部１３を抜き差しする際には、環状部１３が弾性的に拡開され、環状部１３内に足場支柱５が位置するように足場支柱５に環状部１３が嵌着されると、足場支柱５の外周面が環状部１３の内周縁によって締め付けられるようなっている。
こうして、差込み開口部１３ａを通して足場支柱５に対し環状部１３を押し込む操作により、足場用幅木クリップ１１をワンタッチで足場支柱５に取り付けることができる。
【００２７】
＜幅木保持部の説明＞
環状部１３における差込み開口部１３ａの両側には、一対の幅木保持部１５が一体的に設けられている。
幅木保持部１５は、環状部１３における差込み開口部１３ａが形成された部分の端部から幅木１２の板厚方向に延設されて幅木１２の上面に当接されるアーム部１６と、アーム部１６の延設方向先端側に垂れ下がるように設けられて幅木１２の他側の板面に当接される垂下部１７とを有し、一側の板面を足場支柱５に当接させた状態の幅木１２を、足場支柱５との間で挟み付けるように保持する役目をする。
なお、アーム部１６の長さは、足場用幅木クリップ１１を適用する幅木１２の板厚に応じて適宜設定するようにすることが望ましい。
【００２８】
＜膨出部、屈曲部の説明＞
幅木保持部１５には、幅木１２を保持する側の反対側に円弧状に膨出するような膨出部１８が、アーム部１６と垂下部１７との交わりの角部に位置するように形成されている。
また、垂下部１７の上部寄りの部位には、足場支柱５との間で幅木１２を挟み付ける方向に屈曲させた屈曲部１９が形成され、垂下部１７における屈曲部１９よりも先の部分には、足場支柱５との間で幅木１２を挟み付ける方向に鉛直方向を基準に傾きが付されている。
【００２９】
＜足場支柱側での足場用幅木クリップの使用方向の説明＞
次に、足場用幅木クリップ１１の使用方向について主に図３を用いて以下に説明する。
ここで、幅木１２は、足場板３（図１参照）の外側に配置され、一側の板面を足場支柱５に当接させるように足場支柱５に凭れ掛けさせるようにして横架材６上に載置される。
【００３０】
＜足場用幅木クリップの取付け動作説明＞
まず、幅木１２よりも上方位置において、足場支柱５に対し差込み開口部１３ａを向い合せるようにして足場支柱５の外側方向から環状部１３を足場支柱５へと押す。
これにより、まず、足場支柱５の外周面に一対の膨出部１８が当接され、一対の膨出部１８及び一対のアーム部１６を介して環状部１３が弾性的に拡開され、環状部１３内に足場支柱５が位置するように足場支柱５に環状部１３が嵌着される。
【００３１】
次いで、足場用幅木クリップ１１を足場支柱５に沿って下方に移動させ、一対の幅木保持部１５のそれぞれのアーム部１６を幅木１２の上面に当接させるとともに、一対の幅木保持部１５のそれぞれの垂下部１７を幅木１２の他側の板面に当接させる。
これにより、足場支柱５との間で幅木１２が一対の幅木保持部１５によって挟み付けられるようにして保持される。
【００３２】
なお、上記の足場支柱５への取付け動作において、足場用幅木クリップ１１を足場支柱５に沿って下方に移動させる際には、一対の幅木保持部１５におけるそれぞれの膨出部１８を摘まんで差込み開口部１３ａを広げる操作を行って差込み開口部１３ａを若干広げるようにすることにより、足場支柱５と環状部１３との間の摩擦抵抗を大幅に減らすことができるので、足場用幅木クリップ１１をより容易に下降させることができる。
【００３３】
＜足場用幅木クリップの取外し動作説明＞
足場支柱５から足場用幅木クリップ１１を取り外す際には、まず、足場用幅木クリップ１１を足場支柱５に沿って上昇させ、幅木１２よりも上方位置まで移動させる。
なお、このときも、上記の取付け動作時と同様に、一対の膨出部１８を摘まんで差込み開口部１３ａを若干広げる操作を行えば、足場支柱５と環状部１３との間の摩擦抵抗を大幅に減らすことができるので、足場用幅木クリップ１１をより容易に上昇させることができる。
【００３４】
次いで、一対の幅木保持部１５におけるそれぞれの膨出部１８を摘まんで差込み開口部１３ａを広げる操作を行って差込み開口部１３ａを広げ、広げられた差込み開口部１３ａを通して足場支柱５に対し環状部１３を抜き取り、一対のアーム部１６及び一対の膨出部１８のそれぞれの間を通して足場支柱５から足場用幅木クリップ１１を取り外す。
こうして、足場支柱５から足場用幅木クリップ１１を容易に取り外すことができる。
【００３５】
＜作用効果の説明＞
第１の実施形態の足場用幅木クリップ１１によれば、環状部１３における差込み開口部１３ａを通して足場支柱５に対し抜き差し可能に環状部１３が嵌着され、環状部１３における差込み開口部１３ａの両側に一体的に設けられた一対の幅木保持部１５によって幅木１２が足場支柱５との間で挟み付けられるように保持されるので、幅木１２を安定的かつ容易に固定することができる。
【００３６】
また、一対の幅木保持部１５には、それぞれ幅木１２を保持する側の反対側に円弧状に膨出するような膨出部１８が形成されているので、一対の幅木保持部１５におけるそれぞれの膨出部１８を摘まんで差込み開口部１３ａを広げる操作によって差込み開口部１３ａを容易に広げることができ、足場支柱５から足場用幅木クリップ１１を容易に取り外すことができる。
また、円弧状の膨出部１８が幅木保持部１５におけるアーム部１６と垂下部１７との交わりの角部に位置するように形成されているので、アーム部１６と垂下部１７との交わりの角部に応力が集中するのを膨出部１８によって緩和することができ、足場用幅木クリップ１１の使用に伴う幅木保持部１５の折損を未然に防ぐことができる。
【００３７】
また、幅木保持部１５には、足場支柱５との間で幅木１２を挟み付ける方向に屈曲させた屈曲部１９が形成されているので、垂下部１７における屈曲部１９よりも先の部分には、鉛直方向を基準に足場支柱５との間で幅木１２を挟み付ける側に傾きが付されることになる。
したがって、図４（ａ）に示されるように、幅木１２の板厚が比較的薄い場合には、垂下部１７における屈曲部１９よりも先の部分の先端が幅木１２の他側の板面に当接されて、幅木１２が幅木保持部１５によって保持される。
一方、図４（ｂ）に示されるように、幅木１２の板厚が比較的厚い場合（２枚の幅木１２が重なり合うことによって、板厚が厚くなる場合を含む。）には、円弧状の膨出部１８を支点として、アーム部１６に対し垂下部１７が外側（幅木１２から離れる側）に回動するように幅木保持部１５が弾性変形し、この弾性変形により幅木保持部１５が広がる範囲で幅木１２が幅木保持部１５によって保持される。
したがって、板厚の異なる複数種類の幅木１２に対応して使用することができる。
【００３８】
なお、アーム部１６に対し垂下部１７が外側に回動する際の支点として、円弧状の膨出部１８が採用されているので、幅木保持部１５がよりスムーズに弾性変形して、幅木１２の板厚が比較的厚い場合であっても、幅木保持部１５によって幅木１２を容易に保持することができる。
【００３９】
〔第２の実施形態〕
図１及び図５〜図８に、本発明の第２の実施形態に係る足場用幅木クリップを示す。
【００４０】
＜横架側で使用される足場用幅木クリップの概略説明＞
図１に示されるように、第２の実施形態に係る足場用幅木クリップ３１は、上記の第１の実施形態に係る足場用幅木クリップ１１と同様に、仮設足場１で使用される。
この足場用幅木クリップ３１は、建枠２の横架材６に幅木３２を固定するためのものであって、金属線材、より具体的には例えば断面円形の単一のばね鋼線材（ピアノ線材、硬鋼線材、ステンレス鋼線材等で、線径３〜６ｍｍ程度）を用いて所定の線材曲げ加工によって作製されている。
このように、上記の第１の実施形態に係る足場用幅木クリップ１１と同様に、単一のばね鋼線材によって形成するようにすれば、細かな部品等が存在しないため、作業中でも部品等の落下の恐れがないという利点がある。
【００４１】
図５及び図６に示されるように、足場用幅木クリップ３１は、横架材６を補強するための補強材７の縦方向材８への差込み開口部３３ａを有する環状部３３を備えている。
【００４２】
＜環状部の説明＞
環状部３３は、縦方向材８の直径に相当する寸法よりもやや小さい寸法の開口幅に設定された差込み開口部３３ａを通して縦方向材８に対し抜き差し可能に嵌着できるように差込み開口部３３ａに対応する部分が欠けた略円環状に形成されている。
差込み開口部３３ａを通して縦方向材８に対し環状部３３を抜き差しする際には、環状部３３が弾性的に拡開され、環状部３３内に縦方向材８が位置するように縦方向材８に環状部３３が嵌着されると、縦方向材８の外周面が環状部３３の内周縁によって締め付けられるようなっている。
こうして、差込み開口部３３ａを通して縦方向材８に対し環状部３３を押し込む操作により、足場用幅木クリップ３１をワンタッチで縦方向材８に取り付けることができる。
【００４３】
＜抱持部の説明＞
環状部３３における差込み開口部３３ａの両側には、水平方向に延出された一対のアーム部４１，４２及び鉛直上方に延びる一対の起立部４３，４４を介して一対の抱持部４５，４６が一体的に連設されている。
一対の抱持部４５，４６のうち、一側の抱持部４５は、横架材６の外周面における水平方向一側に向けた略半分の外周面に沿うように円弧状に屈曲形成され、他側の抱持部４６は、横架材６の外周面における水平方向他側に向けた略半分の外周面に沿うように円弧状に屈曲形成されている。
一対の抱持部４５，４６が横架材６の外周面に係合することにより、横架材６の外周面の略全周が一対の抱持部４５，４６によって抱持されて一対の抱持部４５，４６が横架材６に嵌着される一方、横架材６の外周面に対し一対の抱持部４５，４６の係合が解除されて両者間が開かれることにより、横架材６の外周面から一対の抱持部４５，４６を取り外し可能な状態となる。
【００４４】
＜幅木保持部の説明＞
抱持部４５，４６の上部には、屈曲部４７，４９を介して幅木保持部４８，５０が上向きに延設されている。
一対の幅木保持部４８，５０においては、一側の抱持部４５の上部と他側の抱持部４６の上部とが横架材６の軸方向の投影面上で交差するように食い違った状態で一対の抱持部４５，４６が横架材６に嵌着されたときに、一対の幅木保持部４８，５０によって幅木３２をその板厚方向に両側から挟み付けて保持することができるようになっている。
【００４５】
屈曲部４７，４９は、一対の幅木保持部４８，５０によって幅木３２をその板厚方向に両側から挟み付ける方向に屈曲されており、幅木保持部４８，５０には、幅木３２を挟み付ける方向に鉛直方向を基準に傾きが付されている。
【００４６】
＜横架側での足場用幅木クリップの使用方向の説明＞
次に、足場用幅木クリップ３１の使用方向について主に図６及び図７を用いて以下に説明する。
ここで、建枠２（図１参照）の横架材６に幅木３２を固定するにあたっては、まず、足場用幅木クリップ３１を補強材７の縦方向材８及び横架材６に取り付け、その後、足場用幅木クリップ３１に幅木３２を装着する。
【００４７】
＜足場用幅木クリップの取付け動作説明＞
まず、足場用幅木クリップ３１を横架材６の下方で補強材７の縦方向材８の側方に位置させる。
次いで、縦方向材８に対し差込み開口部３３ａを向い合せるようにして縦方向材８の外側から環状部３３を縦方向材８へと押す。
これにより、まず、縦方向材８に、一対のアーム部４１，４２もしくは一対の起立部４３，４４、又は一対のアーム部４１，４２と一対の起立部４３，４４との交わりの角部が当接され、一対のアーム部４１，４２を介して環状部３３が弾性的に拡開され、環状部３３内に縦方向材８が位置するように縦方向材８に環状部３３が嵌着される。
【００４８】
環状部３３には、一対のアーム部４１，４２、一対の起立部４３，４４を介して一対の抱持部４５，４６が一体的に連設されているので、上記の縦方向材８に対する環状部３３の取付け動作時に環状部３３が弾性的に拡開されると、これに連動して一対の抱持部４５，４６が図７に示されるように互いに離れるように相対移動して一対の抱持部４５，４６が開かれるので、上記の縦方向材８への環状部３３の取付け動作と同時進行で、開かれた一対の抱持部４５，４６内に横架材６が位置するように一対の抱持部４５，４６を上下動させるなどして、一対の抱持部４５，４６と横架材６との相対位置を調整する動作を行えば、縦方向材８への環状部３３の取付け動作の完了と同時に、環状部３３の弾性復元力によって一対の抱持部４５，４６が横架材６の外周面に係合するように押し付けられて、横架材６に一対の抱持部４５，４６が嵌着される。
【００４９】
こうして、足場用幅木クリップ３１が補強材７の縦方向材８及び横架材６に取り付けられた後に、一対の幅木保持部４８，５０の間に、板面を水平方向に向けるようして立てた幅木３２を差し込む。
これにより、一対の幅木保持部４８，５０によって幅木３２がその板厚方向に両側から挟み付けられるようにして保持される。
【００５０】
＜足場用幅木クリップの取外し動作説明＞
補強材７の縦方向材８及び横架材６から足場用幅木クリップ３１を取り外す際には、まず、一対の幅木保持部４８，５０によって保持されている幅木３２を引き抜く。
次いで、一対の起立部４３，４４又は一対のアーム部４１，４２を摘まんで差込み開口部３３ａを広げる操作を行い、広げられた差込み開口部３３ａを通して縦方向材８に対し環状部３３を抜き取るようにして取り外す。
【００５１】
環状部３３には、一対のアーム部４１，４２、一対の起立部４３，４４を介して一対の抱持部４５，４６が一体的に連設されているので、上記の縦方向材８に対する環状部３３の取外し動作時に環状部３３が弾性的に拡開されると、これに連動して一対の抱持部４５，４６が図７に示されるように互いに離れるように相対移動して一対の抱持部４５，４６が開かれるので、上記の縦方向材８に対する環状部３３の取外し動作と同時進行で、開かれた一対の抱持部４５，４６が横架材６から外れるように、一対の抱持部４５，４６を真下に下げたり、環状部３３を支点に一対の抱持部４５，４６を下向きに回動させたりすることにより、縦方向材８及び横架材６から足場用幅木クリップ３１を取り外すことができる。
【００５２】
＜作用効果の説明＞
第２の実施形態の足場用幅木クリップ３１によれば、横架材６を補強するための縦方向材８に対し差込み開口部３３ａを通して抜き差し可能に環状部３３が嵌着され、該環状部３３によって一対の抱持部４５，４６の横架材６回りの回転が阻止され、環状部３３における差込み開口部３３ａの両側に一対のアーム部４１，４２、一対の起立部４３，４４、一対の抱持部４５，４６及び一対の屈曲部４７，４９を介して一体的に設けられる一対の幅木保持部４８，５０によって幅木３２がその板厚方向に両側から挟み付けられるように保持されるので、幅木３２を安定的かつ容易に固定することができる。
【００５３】
抱持部４５，４６と幅木保持部４８，５０との間には、幅木３２を挟み付ける方向に屈曲させた屈曲部４７，４９が形成されているので、一対の幅木保持部４８，５０には鉛直方向を基準に幅木３２を挟み付ける側に傾きが付されることになる。
したがって、図８（ａ）に示されるように、幅木３２の板厚が比較的薄い場合でも、傾きが付された一対の幅木保持部４８，５０によって幅木３２が保持される。
一方、図８（ｂ）に示されるように、幅木３２の板厚が比較的厚い場合には、一対の幅木保持部４８，５０の間への幅木３２の差込み動作時に、一対の幅木保持部４８，５０の間隔を広げようとする力が、一対の屈曲部４７，４９、一対の抱持部４５，４６、一対の起立部４３，４４及び一対のアーム部４１，４２を介して環状部３３に伝わり、環状部３３が弾性的に拡開される。
弾性変形により拡開される環状部３３が差込み開口部３３ａを通して縦方向材８から抜け出ない状態、すなわち差込み開口部３３ａの弾性拡開時の開口幅が縦方向材８の直径に相当する寸法よりも小さいという条件を満足する範囲において、一対の起立部４３，４４の間隔が広がり、一対の起立部４３，４４の間隔が広がるに伴い、一対の抱持部４５，４６が横架材６の外周面に沿って横架材６回りに互いにすれ違うように相対移動し、一対の抱持部４５，４６の相対移動によって、一対の幅木保持部４８，５０が横架材６回りに互いに離れるように相対移動して、一対の幅木保持部４８，５０の間隔が広がる。
こうして、幅木３２の板厚が比較的厚くても、間隔が広がった一対の幅木保持部４８，５０によって幅木３２が挟み付けられるようにして保持される。
したがって、板厚の異なる複数種類の幅木３２に対応して使用することができる。
【００５４】
以上、本発明の足場用幅木クリップについて、複数の実施形態に基づいて説明したが、本発明は上記実施形態に記載した構成に限定されるものではなく、各実施形態に記載した構成を適宜組み合わせる等、その趣旨を逸脱しない範囲において適宜その構成を変更することができるものである。
【産業上の利用可能性】
【００５５】
本発明の足場用幅木クリップは、仮設足場の足場板に添えるように配置される幅木を安定的かつ容易に固定することができるという特性を有していることから、建枠の足場支柱側に配置される幅木を固定したり、横架材側に配置される幅木を固定したりする用途に好適に用いることができ、産業上の利用可能性が大である。
【符号の説明】
【００５６】
１          仮設足場
２          建枠
３          足場板
５          足場支柱（縦方向材）
６          横架材
７          補強材
８          縦方向材
１１        足場用幅木クリップ（第１の実施形態）
１２        幅木
１３        環状部
１３ａ      差込み開口部
１５        幅木保持部
１８        膨出部
３１        足場用幅木クリップ（第２の実施形態）
３２        幅木
３３        環状部
３３ａ      差込み開口部
４５，４６  抱持部
４８，５０  幅木保持部
【図１】
2019105106.tif 000003
【図２】
2019105106.tif 000004
【図３】
2019105106.tif 000005
【図４】
2019105106.tif 000006
【図５】
2019105106.tif 000007
【図６】
2019105106.tif 000008
【図７】
2019105106.tif 000009
【図８】
2019105106.tif 000010